(57)【要約】【課題】タイマーモードで運転を開始または停止したときのルーバーの駆動音の発生を抑制することができる空気調和機を提供する。【解決手段】空気調和機Ａは送風機１１と、室内熱交換器１２と、空気の吹き出し方向が変更可能なルーバー１８と、計時部２１と、を備え、予約した時刻に自動で運転を開始する入タイマーモード及び予約した時刻に自動で運転を停止する切タイマーモードでの運転が可能であって、運転中に入タイマーモードが設定されたとき、運転の停止時にルーバー１８を予め設定した指定位置に変位させ、切タイマーモードが設定されたとき、切タイマーモードによる運転の停止時にルーバー１８を初期位置まで戻すことなく運転を停止する。【選択図】図７
2014001873.tif 000002
【特許請求の範囲】
【請求項１】
室内空気を循環させる送風機と、前記送風機が循環させる空気との間で熱交換を行う室内熱交換器と、空気の吹き出し方向が変更可能なルーバーと、計時部と、を備え、予約した時刻に自動で運転を開始する入タイマーモードでの運転が可能な空気調和機において、
空気調和運転中に前記入タイマーモードが設定されたとき、前記空気調和運転の停止時に前記ルーバーを予め設定した指定位置に変位させることを特徴とする空気調和機。
【請求項２】
室内空気を循環させる送風機と、前記送風機が循環させる空気との間で熱交換を行う室内熱交換器と、空気の吹き出し方向が変更可能なルーバーと、計時部と、を備え、予約した時刻に自動で運転を停止する切タイマーモードでの運転が可能な空気調和機において、
前記切タイマーモードが設定されたとき、前記切タイマーモードによる運転の停止時に前記ルーバーを初期位置まで戻すことなく運転を停止することを特徴とする空気調和機。
【請求項３】
室内空気を循環させる送風機と、前記送風機が循環させる空気との間で熱交換を行う室内熱交換器と、空気の吹き出し方向が変更可能なルーバーと、計時部と、を備え、予約した時刻に自動で運転を開始する入タイマーモード及び予約した時刻に自動で運転を停止する切タイマーモードでの運転が可能な空気調和機において、
空気調和運転中に前記入タイマーモードが設定されたとき、前記空気調和運転の停止時に前記ルーバーを予め設定した指定位置に変位させ、
前記切タイマーモードが設定されたとき、前記切タイマーモードによる運転の停止時に前記ルーバーを初期位置まで戻すことなく運転を停止することを特徴とする空気調和機。
【請求項４】
室内空気を循環させる送風機と、前記送風機が循環させる空気との間で熱交換を行う室内熱交換器と、空気の吹き出し方向が変更可能なルーバーと、計時部と、を備え、予約した時刻に自動で運転を開始する入タイマーモードでの運転が可能な空気調和機において、
空気調和運転停止中に前記入タイマーモードが設定されたとき、前記設定時に前記ルーバーを予め設定した指定位置に変位させる、または、空気調和運転停止中に前記入タイマーモードが設定されたとき、予め設定した所定時間の経過後且つ前記入タイマーモードによる運転の開始前に前記ルーバーを予め設定した指定位置に変位させることを特徴とする空気調和機。
【請求項５】
運転停止中に前記入タイマーモードが設定されたとき、前記設定時に前記ルーバーを前記指定位置に変位させる、
または、運転停止中に前記入タイマーモードが設定されたとき、予め設定した所定時間の経過後且つ前記入タイマーモードによる運転の開始前に前記ルーバーを前記指定位置に変位させることを特徴とする請求項１または請求項３に記載の空気調和機。
【請求項６】
前記切タイマーモードが設定されたとき、予め設定した所定時間の経過後に前記ルーバーを初期位置まで戻すことを特徴とする請求項２または請求項３に記載の空気調和機。
【請求項７】
空気調和機を操作する操作器を備え、
前記切タイマーモードによる運転の停止時に前記ルーバーを初期位置まで戻すことなく運転を停止したとき、前記操作器から前記ルーバーを初期位置に戻す指示を受けることにより前記ルーバーを初期位置まで戻すことを特徴とする請求項２または請求項３に記載の空気調和機。
【請求項８】
空気調和機を操作できるとともに運転情報を表示する操作器を備え、
前記切タイマーモードによる運転の停止時に前記ルーバーを初期位置まで戻すことなく運転を停止したとき、その停止時の前記ルーバーの位置を前記操作器に表示することを特徴とする請求項２または請求項３または請求項７に記載の空気調和機。
【請求項９】
運転中に前記切タイマーモードと前記入タイマーモードとが設定されたとき、前記切タイマーモードによる運転の停止から前記入タイマーモードによる運転の開始まで前記ルーバーを変位不能にさせることを特徴とする請求項３に記載の空気調和機。
【発明の詳細な説明】
【技術分野】
【０００１】
本発明は空気調和機に関する。
【背景技術】
【０００２】
従来、空気調和機はユーザーが予約した時刻に自動で運転を開始したり、停止したりするタイマーモードなどと呼ばれる運転モードを備えている。このような空気調和機が特許文献１に開示されている。
【０００３】
特許文献１に記載された空気調和機はタイマー運転機能による運転停止後、リモコンの特定のキー以外のキーが押下された場合にタイマー運転を再開するようにしている。すなわち、切タイマーモードによる運転停止後、できるだけ簡単な操作で切タイマー運転を再開できるようになっている。これにより、ユーザーが就寝中に寝苦しくなって目を覚ましても、容易に空気調和機の運転を再開することができる。
【先行技術文献】
【特許文献】
【０００４】
【特許文献１】特開２０１１−１９１０１０号公報
【発明の概要】
【発明が解決しようとする課題】
【０００５】
しかしながら、空気調和機の運転開始前または運転停止後の静かな寝室におけるルーバーの駆動音はユーザーにとって耳障りとなる虞があり、このことについて上記従来の空気調和機では配慮がなされていない。このようなルーバーの駆動音が原因で就寝中のユーザーが目を覚まし、好適な睡眠が得られなくなる可能性があることが問題となっていた。
【０００６】
本発明は、上記の点に鑑みなされたものであり、タイマーモードで空気調和機が運転を開始したときまたは停止したときのルーバーの駆動音の発生を抑制することができる空気調和機を提供することを目的とする。
【課題を解決するための手段】
【０００７】
上記の課題を解決するため、本発明は、室内空気を循環させる送風機と、前記送風機が循環させる空気との間で熱交換を行う室内熱交換器と、空気の吹き出し方向が変更可能なルーバーと、計時部と、を備え、予約した時刻に自動で運転を開始する入タイマーモードでの運転が可能な空気調和機において、空気調和運転中に前記入タイマーモードが設定されたとき、前記空気調和運転の停止時に前記ルーバーを予め設定した指定位置に変位させることを特徴としている。
【０００８】
この構成によれば、空気調和機は入タイマーモードで運転を開始したとき、ルーバーを駆動しない。したがって、そのときルーバーの駆動音が発生しない。
【０００９】
なお、ここで述べたルーバーの「指定位置」は入タイマーモードによる運転開始時のルーバーの予め設定した任意の位置（姿勢）であり、例えば冷房運転、暖房運転などの運転モードに対応して指定することができる。
【００１０】
また上記の課題を解決するため、本発明は、室内空気を循環させる送風機と、前記送風機が循環させる空気との間で熱交換を行う室内熱交換器と、空気の吹き出し方向が変更可能なルーバーと、計時部と、を備え、予約した時刻に自動で運転を停止する切タイマーモードでの運転が可能な空気調和機において、前記切タイマーモードが設定されたとき、前記切タイマーモードによる運転の停止時に前記ルーバーを初期位置まで戻すことなく運転を停止することを特徴としている。
【００１１】
この構成によれば、空気調和機は切タイマーモードで運転を停止したとき、ルーバーを駆動しない。したがって、そのときルーバーの駆動音が発生しない。
【００１２】
なお、ここで述べたルーバーの「初期位置」は空気調和機の通常の運転停止時の位置（姿勢）を意味する。例えば、ルーバーが空気調和機の空気の吹出口を塞いで閉鎖する外装部材を兼ねる場合、ルーバーの「初期位置」は空気の吹出口を閉鎖する位置（閉姿勢）となる。
【００１３】
また上記の課題を解決するため、本発明は、室内空気を循環させる送風機と、前記送風機が循環させる空気との間で熱交換を行う室内熱交換器と、空気の吹き出し方向が変更可能なルーバーと、計時部と、を備え、予約した時刻に自動で運転を開始する入タイマーモード及び予約した時刻に自動で運転を停止する切タイマーモードでの運転が可能な空気調和機において、空気調和運転中に前記入タイマーモードが設定されたとき、前記空気調和運転の停止時に前記ルーバーを予め設定した指定位置に変位させ、前記切タイマーモードが設定されたとき、前記切タイマーモードによる運転の停止時に前記ルーバーを初期位置まで戻すことなく運転を停止することを特徴としている。
【００１４】
この構成によれば、空気調和機はタイマーモードで運転を開始したときまたは停止したとき、ルーバーを駆動しない。したがって、そのときルーバーの駆動音が発生しない。
【００１５】
また上記の課題を解決するため、本発明は、室内空気を循環させる送風機と、前記送風機が循環させる空気との間で熱交換を行う室内熱交換器と、空気の吹き出し方向が変更可能なルーバーと、計時部と、を備え、予約した時刻に自動で運転を開始する入タイマーモードでの運転が可能な空気調和機において、空気調和運転停止中に前記入タイマーモードが設定されたとき、前記設定時に前記ルーバーを予め設定した指定位置に変位させる、または、空気調和運転停止中に前記入タイマーモードが設定されたとき、予め設定した所定時間の経過後且つ前記入タイマーモードによる運転の開始前に前記ルーバーを予め設定した指定位置に変位させることを特徴としている。
【００１６】
この構成によれば、運転停止中に、入タイマーモードによる運転の開始時にルーバーが初期位置から指定位置まで駆動しないように設定される。したがって、そのルーバーの駆動音の発生を抑制できる。また、所定時間の経過後にルーバーを変位させることで、運転停止中、入タイマーモード設定後すぐにルーバーが変位することにより運転開始を指示したとユーザーが誤解することを抑制できる。
【００１７】
なお、ここで述べた「所定時間」はルーバーを変位させるタイミングに関する予め設定した任意の時間であり、入タイマーモードの設定後ユーザーが就寝するまでの時間であって例えば１０分、１５分などといった時間として構わない。後述する実施形態ではこの「所定時間」を「１０分」と設定しているが、このような時間に限定されるわけではない。また、以下に続く構成において同じく「所定時間」を用いていることがあるが、これら「所定時間」は同じ時間を意味するものではない。また、この「所定時間」は後述する操作器を用いて任意の値に設定できるようにしても良い。
【００１８】
また、上記構成の空気調和機において、前記切タイマーモードが設定されたとき、予め設定した所定時間の経過後に前記ルーバーを初期位置まで戻すことを特徴としている。
【００１９】
この構成によれば、例えばユーザーが睡眠から目を覚ました後に、空気調和機はルーバーを初期位置まで戻す。したがって、睡眠中のルーバーの駆動音の発生が妨げられるとともに、ユーザーの起床後の空気調和機の見栄えにも不快感を覚えることがない。
【００２０】
なお、ここで述べた「所定時間」はルーバーを変位させるタイミングに関する予め設定した任意の時間であり、切タイマーモードの設定後ユーザーが起床するまでの時間であって例えば６時間、７時間などといった時間として構わない。後述する実施形態ではこの「所定時間」を「７時間」と設定しているが、このような時間に限定されるわけではない。また、この「所定時間」は後述する操作器を用いて任意の値に設定できるようにしても良い。
【００２１】
また、上記構成の空気調和機において、空気調和機を操作する操作器を備え、前記切タイマーモードによる運転の停止時に前記ルーバーを初期位置まで戻すことなく運転を停止したとき、前記操作器から前記ルーバーを初期位置に戻す指示を受けることにより前記ルーバーを初期位置まで戻すことを特徴としている。
【００２２】
この構成によれば、ユーザーが確実に起きているときにルーバーが初期位置まで戻されることになる。したがって、睡眠中のルーバーの駆動音の発生が確実に妨げられるとともに、ユーザーの起床後の空気調和機の見栄えにも不快感を覚えることがない。
【００２３】
また、上記構成の空気調和機において、空気調和機を操作できるとともに運転情報を表示する操作器を備え、前記切タイマーモードによる運転の停止時に前記ルーバーを初期位置まで戻すことなく運転を停止したとき、その停止時の前記ルーバーの位置を前記操作器に表示することを特徴としている。
【００２４】
この構成によれば、ユーザーは起きているときに操作器を見てルーバーが初期位置まで戻っていないことに気付くことがある。したがって、睡眠中のルーバーの駆動音の発生が確実に妨げられるとともに、ユーザーの起床後の空気調和機の見栄えにも不快感を覚えることがない。
【００２５】
また、上記構成の空気調和機において、運転中に前記切タイマーモードと前記入タイマーモードとが設定されたとき、前記切タイマーモードによる運転の停止から前記入タイマーモードによる運転の開始まで前記ルーバーを変位不能にさせることを特徴としている。
【００２６】
この構成によれば、空気調和機はタイマーモードで運転を停止してから再開するまで、ルーバーが駆動しない。したがって、その間のルーバーの駆動音の発生が妨げられる。
【発明の効果】
【００２７】
本発明の構成によれば、タイマーモードで空気調和機が運転を開始したときまたは停止したときのルーバーの駆動音の発生を抑制することができる。
【図面の簡単な説明】
【００２８】
【図１】本発明の実施形態の空気調和機の室内機の外観斜視図である。
【図２】本発明の実施形態の空気調和機の室内機の構成を示す概略断面図である。
【図３】本発明の実施形態の空気調和機のリモコンの正面図である。
【図４】図３に示すリモコンの蓋部を開いた状態を示す正面図である。
【図５】本発明の実施形態の空気調和機の冷房運転時のルーバーの動きを示す説明図である。
【図６】本発明の実施形態の空気調和機の暖房運転時のルーバーの動きを示す説明図である。
【図７】本発明の実施形態の空気調和機の入タイマーモードによる運転フローを示すフローチャートである。
【図８】本発明の実施形態の空気調和機の切タイマーモードによる運転フローを示すフローチャートである。
【発明を実施するための形態】
【００２９】
以下、本発明の実施形態を図１〜図８に基づき説明する。
【００３０】
最初に、本発明の実施形態の空気調和機について、図１〜図６を用いてその構造及び動作を説明する。図１は空気調和機の室内機の外観斜視図、図２は室内機の構成を示す概略断面図、図３は空気調和機のリモコンの正面図、図４はモコンの蓋部を開いた状態を示す正面図、図５は空気調和機の冷房運転時のルーバーの動きを示す説明図、図６は空気調和機の暖房運転時のルーバーの動きを示す説明図である。なお、図２における室内機に対する右方を室内と対向する側であって室内機の前方と称する。
【００３１】
図１に示す室内機１は図示しない室外機とともにセパレート型の空気調和機Ａとして構成されている。室内機１は水平方向に延びる横長の形態をなし、合成樹脂製の筐体１０の内部に図２に示す送風機１１及び室内熱交換器１２を収容している。
【００３２】
送風機１１は筐体１０の形状に沿って水平方向に横長に延びるクロスローファン（図示せず）と、これを回転させる電動機（図示せず）とを備える。
【００３３】
室内熱交換器１２はクロスローファン同様に水平方向に延び、３個が組み合わされて構成されている。３個の室内熱交換器１２は送風機１１のクロスローファンの上方や前方を覆うように配置されている。室内熱交換器１２には室外機に収容された図示しない圧縮機から冷媒が送り込まれる。
【００３４】
送風機１１は室内空気を循環させる。室内熱交換器１２は送風機１１が循環させる空気との間で熱交換を行う。
【００３５】
図２に示すように、筐体１０の前面上部から天面にかけての部分に吸込口１３が形成されている。吸込口１３は多数のスリットで構成されている。筐体１０の前面下部には正面から見て横長の矩形をなす吹出口１４が形成されている。送風機１１と吹出口１４との間には送風機１１から送り出された空気が通る通風路１５が形成されている。送風機１１を駆動すると、吸込口１３から筐体１０内に吸い込まれた室内空気が室内熱交換器１２を通過し、通風路１５を通って吹出口１４から室内に向かって吹き出される。
【００３６】
吸込口１３のすぐ内側にはフィルター１６が配置されている。フィルター１６は室内熱交換器１２の上方を覆い、吸込口１３を通じて筐体１０内に吸い込まれる室内空気に含まれる塵埃を捕集する。フィルター１６は室内機１の前面に設けられた開閉パネル１７を開放することにより取り出して清掃した後、再利用することができる。
【００３７】
吹出口１４にはルーバー１８が配置されている。ルーバー１８は空気調和機Ａの停止時に吹出口１４を塞いで閉鎖する外装部材を兼ねており、吹出口１４同様に正面から見て横長の矩形をなしている。ルーバー１８は図２に二点鎖線及び矢印で描画したように、水平方向に延びる上辺部が回転中心となり下辺側を揺動可能にして筐体１０に支持され、室内熱交換器１２を通過した空気の吹き出し方向が変更可能である。ルーバー１８は空気の上下の吹出方向を調整するものであるが、室内機１は空気の左右の吹出方向を調整する図示しないルーバーも備えている。ルーバー１８は電動式であって、後述するリモコンによって向きを調整することもできる。
【００３８】
通風路１５の吹出口１４のすぐ内側にはイオン発生装置１９が配置されている。イオン発生装置１９はイオンを放出するための放電に用いる電極やその他電子部品がハウジング内に収容されてパッケージ化されている。イオン発生装置１９は通風路１５に隣接させて形成された図示しない収納部に対して着脱可能にして収納される。イオン発生装置１９は通風路１５に臨む複数の電極を有し、通風路１５を流通する空気に対して電極で放電により発生させたイオンを含ませるように放出する。
【００３９】
イオン発生装置１９の正放電電極、負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００４０】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置１９は通風路１５を流通する空気に対して正放電電極及び負放電電極で放電により発生させた正イオン及び負イオンを含ませるように放出することにより、例えば室内の殺菌や脱臭を行うことができる。
【００４１】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４２】
なお、本実施形態ではイオン発生装置１９によって正イオン及び負イオンを発生しているが、マイナスイオンのみを発生しても良い。
【００４３】
また、本発明において、イオンには帯電微粒子水も含むものとする。このとき、イオン発生装置１９は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００４４】
室内機１は室外機を含む空気調和機Ａ全体の動作制御のために、筐体１０内に制御部２０を収容している。制御部２０は図示しない演算部や記憶部等を備え、記憶部等に記憶、入力されたプログラム、データに基づき送風機１１やルーバー１８、室外機に収容された圧縮機などの構成要素を制御して一連の空調運転を実現する。また、室内機１は時間を計測するための計時部２１を備え、各種時間を把握できる。
【００４５】
また、空気調和機Ａは、図３及び図４に示す遠隔操作のための操作器であるリモコン３０を備えている。リモコン３０は赤外線等を利用して室内機１の制御部２０に対して運転モード設定や動作指令などを送信して指示及び操作したり、運転情報を表示したりすることが可能である。
【００４６】
リモコン３０は縦長の筐体３１を有し、図３及び図４における上側に表示部３２を備え、下側に操作部３３を備えている。表示部３２には液晶パネルなどで構成される表示パネルが設けられている。
【００４７】
操作部３３は蓋部３４を備える。蓋部３４は、図３及び図４における下端に設けられたヒンジ部３５を介して開閉可能に筐体３１に支持されている。操作部３３はその表面や蓋部３４によって覆われる部分に、各種操作ボタンやインジケーターランプが分散されて配置されている。
【００４８】
操作部３３の蓋部３４によって覆われる部分には「上下風向」ボタン３６や「左右風向」ボタン３７といったルーバーの位置変更に係る操作ボタンが配置されている。
【００４９】
例えば、上下風向を自動に設定した場合、冷房運転においてルーバー１８は、図５に示す上から順に斜め下方向、水平方向、斜め上方向に位置を変位する。また例えば、上下風向を自動に設定した場合、暖房運転においてルーバー１８は、図６に示す上から順に斜め後ろ方向、斜め下方向、下方向に位置を変位する。
【００５０】
また、操作部３３の蓋部３４によって覆われる部分には「入タイマー」ボタン３８や「切タイマー」ボタン３９、「予約」ボタン４０といったタイマーモードでの運転に係る操作ボタンも配置されている。「入タイマー」ボタン３８、「切タイマー」ボタン３９及び「予約」ボタン４０を操作することにより、ユーザーは予約した時刻に自動で運転を開始する入タイマーモード及び予約した時刻に自動で運転を停止する切タイマーモードでの運転を設定することができる。
【００５１】
そして、この空気調和機Ａはタイマーモードで運転を開始したときまたは停止したときのルーバーの駆動音の発生を抑止している。
【００５２】
例えば、入タイマーモードに関して、冷房運転や暖房運転、送風運転などの空気調和運転中に入タイマーモードが設定されたとき、その運転の停止時（例えば、リモコン３０を操作してユーザーが空気調和運転の停止を指示したとき）にルーバー１８を予め設定した指定位置に変位させるようにしている。ルーバー１８の指定位置とは、例えば冷房運転では斜め下方向（図５の上段）が該当し、暖房運転では斜め後ろ方向（図６の上段）が該当する。
【００５３】
また例えば、冷房運転や暖房運転、送風運転等の空気調和運転停止中に入タイマーモードが設定されたとき、その設定時にルーバー１８を指定位置に変位させるようにしている。また例えば、冷房運転や暖房運転、送風運転等の空気調和運転停止中に入タイマーモードが設定されたとき、予め設定した所定時間の経過後且つ入タイマーモードによる運転の開始前にルーバー１８を指定位置に変位させるようにしている（後述する動作フローの説明では遅延設定と称する）。なお、ここで用いた所定時間はルーバー１８を変位させるタイミングに関する予め設定した任意の時間であり、入タイマーモードの設定後ユーザーが就寝するまでの時間であって例えば１０分に設定される。この所定時間は空気調和機Ａが自動的に設定しても良いし、ユーザーが手動で任意に設定しても良い。
【００５４】
また例えば、切タイマーモードが設定されたとき、切タイマーモードによる運転の停止時にルーバー１８を初期位置まで戻すことなく運転を停止するようにしている。ルーバー１８の初期位置とは、空気調和機Ａの通常の運転停止時の位置、すなわち吹出口１４を塞いで閉鎖する位置（閉姿勢）である。
【００５５】
ここで、冷房運転や暖房運転、送風運転などの空気調和運転中に切タイマーモードが設定されたとき、その運転の切タイマーモードによる停止時にルーバー１８を初期位置まで戻さない。また、冷房運転や暖房運転、送風運転などの空気調和運転停止中に切タイマーモードが設定されたとき、次に空気調和運転が開始され、その運転の切タイマーモードによる停止時にルーバー１８を初期位置まで戻さない。
【００５６】
なおこのとき、ルーバー１８は初期位置に戻ることなく放置されていることになるので、リモコン３０を用いてユーザーがルーバー１８を初期位置まで戻すことができる。例えば、リモコン３０の「停止」ボタン４１を押すことや、「上下風向」ボタン３６を押すことにより初期位置まで戻すことができる。このため、切タイマーモードによる運転の停止時にルーバー１８を初期位置まで戻すことなく運転を停止したとき、その停止時のルーバー１８の位置をリモコン３０の表示部３２に表示するようにしている。さらに、その表示を点滅させるなどさせて、ユーザーが気付き易くしても良い。
【００５７】
また例えば、切タイマーモードが設定されたとき、予め設定した所定時間の経過後にルーバー１８を初期位置まで戻すようにしている（後述する動作フローの説明では遅延設定と称する）。なお、ここで用いた所定時間はルーバー１８を変位させるタイミングに関する予め設定した任意の時間であり、切タイマーモードの設定後ユーザーが起床するまでの時間であって例えば７時間に設定される。この所定時間は空気調和機Ａが自動的に設定しても良いし、ユーザーが手動で任意に設定しても良い。さらに、ユーザーがリモコン３０を用いてルーバー１８を初期位置まで戻すことができるようにすることと併用しても良い。
【００５８】
次に、空気調和機Ａの入タイマーモード及び切タイマーモードによる運転フローについて、図７及び図８に示すフローに沿って説明する。図７は空気調和機Ａの入タイマーモードによる運転フローを示すフローチャート、図８は空気調和機Ａの切タイマーモードによる運転フローを示すフローチャートである。
【００５９】
空気調和機Ａにおいてリモコン３０を用いて入タイマーモードが設定されると（図７のスタート）、制御部２０は現在運転中（冷房運転や暖房運転、送風運転等の空気調和運転中）であるか否かを判定する（図７のステップ＃１０１）。空気調和機Ａが運転中である場合（ステップ＃１０１のＹｅｓ）、制御部２０は空気調和機Ａの運転が停止するまで運転状態の監視を続ける（ステップ＃１０２のＮｏ）。
【００６０】
空気調和機Ａの運転が停止すると（ステップ＃１０２のＹｅｓ）、制御部２０はルーバー１８を指定位置に変位させる（ステップ＃１０３）。そして、制御部２０は計時部２１から得られる時間情報に基づいて入タイマーモードで設定された運転開始時刻まで待機する（ステップ＃１０４のＮｏ）。
【００６１】
入タイマーモードで設定された運転開始時刻になると（ステップ＃１０４のＹｅｓ）、制御部２０は設定された運転モードによる運転を開始して（ステップ＃１０５）、入タイマーモードの動作フローを終了する（図７のエンド）。
【００６２】
一方、ステップ＃１０１において、空気調和機Ａが運転中（冷房運転や暖房運転、送風運転等の空気調和運転中）でない場合（ステップ＃１０１のＮｏ）、制御部２０は今回の入タイマーモードによる運転が切タイマーモード後であるか否かを判定する（ステップ＃１０６）。切タイマーモード後である場合（ステップ＃１０６のＹｅｓ）、制御部２０はルーバー１８を変位させることなく、入タイマーモードで設定された運転開始時刻まで待機する（ステップ＃１０４のＮｏ）。すなわち、空気調和機Ａは運転中に切タイマーモードと入タイマーモードとが設定されたとき、切タイマーモードによる運転の停止から入タイマーモードによる運転の開始までルーバー１８を変位不能にさせる。
【００６３】
今回の入タイマーモードによる運転が切タイマーモード後ではない場合（ステップ＃１０６のＮｏ）、制御部２０はルーバー１８の位置変位に対して遅延設定がされているかどうか、すなわち予め設定した所定時間の経過後且つ入タイマーモードによる運転の開始前にルーバー１８を指定位置に変位させるようにしているかどうかを判定する（ステップ＃１０７）。遅延設定がない場合（ステップ＃１０７のＮｏ）、制御部２０は直ちにルーバー１８を指定位置に変位させる（ステップ＃１０３）。
【００６４】
遅延設定が有る場合（ステップ＃１０７のＹｅｓ）、制御部２０は所定時間（例えば１０分）待機した後（ステップ＃１０８）、ルーバー１８を指定位置に変位させる（ステップ＃１０３）。
【００６５】
また、空気調和機Ａにおいてリモコン３０を用いて切タイマーモードが設定されると（図８のスタート）、制御部２０は計時部２１から得られる時間情報に基づいて運転停止時刻まで空気調和機Ａの運転を継続する（ステップ＃２０１のＮｏ）。運転停止時刻になると（ステップ＃２０１のＹｅｓ）、制御部２０はルーバー１８の変位を停止させる（ステップ＃２０２）。
【００６６】
続いて、制御部２０はルーバー１８の位置変位に対して遅延設定がされているかどうか、すなわち予め設定した所定時間の経過後にルーバー１８を初期位置まで戻すようにしているどうかを判定する（ステップ＃２０３）。遅延設定がない場合（ステップ＃２０３のＮｏ）、制御部２０は何もせず、切タイマーモードの動作フローを終了する（図８のエンド）。すなわち、空気調和機Ａは切タイマーモードによる運転の停止時にルーバー１８を初期位置まで戻すことなく運転を停止する。
【００６７】
一方、遅延設定が有る場合（ステップ＃２０３のＹｅｓ）、制御部２０は所定時間（例えば７時間）待機した後（ステップ＃２０４）、ルーバー１８を初期位置に戻して（ステップ＃２０５）切タイマーモードの動作フローを終了する。
【００６８】
上記のように、空気調和機Ａは冷房運転や暖房運転、送風運転等の空気調和運転中に入タイマーモードが設定されたとき、運転の停止時（例えば、ユーザーがリモコン３０を操作して空気調和運転の停止を指示したとき）にルーバー１８を予め設定した指定位置に変位させ、切タイマーモードが設定されたとき、切タイマーモードによる運転の停止時にルーバー１８を初期位置まで戻すことなく運転を停止する。これにより、空気調和機Ａはタイマーモードで運転を開始したときまたは停止したとき、ルーバー１８を駆動しない。したがって、そのときのルーバー１８の駆動音の発生を抑制することができる。
【００６９】
また、空気調和機Ａは冷房運転や暖房運転、送風運転等の空気調和運転停止中に入タイマーモードが設定されたとき、設定時にルーバー１８を指定位置に変位させる、または、冷房運転や暖房運転、送風運転等の空気調和運転停止中に入タイマーモードが設定されたとき、予め設定した所定時間の経過後且つ入タイマーモードによる運転の開始前にルーバー１８を指定位置に変位させる。これにより、運転停止中に、入タイマーモードによる運転の開始時にルーバー１８が駆動しないように設定される。したがって、冷房運転や暖房運転、送風運転等の空気調和運転の開始時のルーバー１８の駆動音の発生を抑制することができる。また、所定時間の経過後にルーバー１８を変位させることで、運転指示後すぐにルーバー１８が変位する冷房運転や暖房運転、送風運転等の空気調和運転開始を入タイマーモードと間違って指示したとユーザーが誤解することを抑制することが可能である。
【００７０】
そして、空気調和機Ａは切タイマーモードが設定されたとき、予め設定した所定時間の経過後にルーバー１８を初期位置まで戻すので、例えばユーザーが睡眠から目を覚ました後にルーバー１８を初期位置まで戻す。したがって、睡眠中のルーバー１８の駆動音の発生を抑制することができるのとともに、ユーザーの起床後の室内機１の見栄えにも不快感を覚えることがない。
【００７１】
また、空気調和機Ａは切タイマーモードによる冷房運転や暖房運転、送風運転等の空気調和運転の停止時にルーバー１８を初期位置まで戻すことなく空気調和運転を停止したとき、その停止時のルーバー１８の位置をリモコン３０に表示する。これにより、ユーザーは起きているときにリモコン３０を見てルーバーが初期位置まで戻っていないことに気付くことができる。したがって、睡眠中のルーバー１８の駆動音の発生を確実に抑制することができるのとともに、ユーザーの起床後の室内機１の見栄えにも不快感を覚えることがない。
【００７２】
また、空気調和機Ａは運転中に切タイマーモードと入タイマーモードとが設定されたとき、切タイマーモードによる運転の停止から入タイマーモードによる運転の開始までルーバー１８を変位不能にさせる。これにより、空気調和機Ａはタイマーモードで運転を停止してから再開するまで、ルーバー１８が駆動しない。したがって、その間のルーバー１８の駆動音の発生を抑制することが可能である。
【００７３】
このようにして、本発明の上記実施形態の構成によれば、タイマーモードで空気調和機Ａが冷房運転や暖房運転、送風運転等の空気調和運転を開始したときまたは冷房運転や暖房運転、送風運転等の空気調和運転を停止したときのルーバー１８の駆動音の発生を抑制することができる。したがって、ユーザーが好適な睡眠を得ることが可能な空気調和機Ａを提供することができる。
【００７４】
以上、本発明の実施形態につき説明したが、本発明の範囲はこれに限定されるものではなく、発明の主旨を逸脱しない範囲で種々の変更を加えて実施することができる。
【００７５】
例えば、本実施形態で説明した入タイマーモードのみを空気調和機に採用する、または本実施形態で説明した切タイマーモードのみを空気調和機に採用する、または本実施形態で説明した入タイマーモード及び切タイマーモードの両方を空気調和機に採用することが可能である。
【００７６】
また、本実施形態における空気調和機Ａの室内機１のルーバー１８は正面から見て横長の矩形をなし水平方向に延びる上辺部を回転中心として下辺側が揺動可能であるが、下辺部を回転中心として上辺側が揺動可能なルーバーや、上下方向中央部を回転中心として上辺側及び下辺側が揺動可能なルーバーであっても良い。また、暖房運転時は上辺部を回転中心として搖動し、冷房運転時は下辺部を回転中心として搖動するタイプのルーバーであっても良い。
【００７７】
また、リモコン３０として説明した操作器は室内機１自体に設けられているものとしても良い。
【産業上の利用可能性】
【００７８】
本発明は、空気調和機において利用可能である。
【符号の説明】
【００７９】
Ａ    空気調和機
１    室内機
１０    筐体
１１    送風機
１２    室内熱交換器
１３    吸込口
１４    吹出口
１８    ルーバー
２０    制御部
２１    計時部
３０    リモコン（操作器）
３３    操作部
３８    「入タイマー」ボタン
３９    「切タイマー」ボタン
４０    「予約」ボタン
【図１】
2014001873.tif 000003
【図２】
2014001873.tif 000004
【図３】
2014001873.tif 000005
【図４】
2014001873.tif 000006
【図５】
2014001873.tif 000007
【図６】
2014001873.tif 000008
【図７】
2014001873.tif 000009
【図８】
2014001873.tif 000010